(57)【要約】      （修正有）【課題】金属等の部材の曲げ加工において所望の寸法通りに加工する為に設計上の寸法に盛り込む必要がある仮想交点から被測定物の一片までの寸法を、従来よりもシンプルな方法により計測可能なデジタルノギスを提供する。【解決手段】デジタルノギス１００に設けられた可動側ジョウ３０１の移動変化量と角度計４００の回動量とから被測定物６００両片の延長線上にある仮想交点を三角関数を用いて算出することにより、仮想交点から被測定物の一片までの寸法をノギスにより計測可能とした。【選択図】図１
2018124172.tif 000002
【特許請求の範囲】
【請求項１】
固定側ジョウまたは可動側ジョウに角度計を備えたデジタルノギスであって、
可動側ジョウの移動変化量を検出する移動変化量検出手段と、
角度計の回動量を検出する回動量検出手段と、
可動側ジョウの移動変化量と角度計の回動量とから被測定物両片の延長線上にある仮想交点を算出する仮想交点算出手段と、
を備えたデジタルノギス。
【請求項２】
デジタルノギスにより測定される被測定物両片の延長線上にある仮想交点を算出するプログラムであって、
可動側ジョウの移動変化量を検出するステップと、
角度計の回動量を検出するステップと、
可動側ジョウの移動変化量と角度計の回動量とから被測定物両片の延長線上にある仮想交点を算出するステップと、
を備えた、コンピューター上で実行されるプログラム。
【発明の詳細な説明】
【技術分野】
【０００１】
本発明は、デジタルノギス、およびデジタルノギスを動作させるプログラムに関する。
【背景技術】
【０００２】
金属等の部材の曲げ加工においては曲げ部分に必ずＲ（曲げアール）が生じるため、ＣＡＤ等のデータによる設計上の寸法と、加工した部材の寸法が一致しない。
【０００３】
したがって、所望の寸法のとおりに加工したいと考える場合、曲げた両面の延長線上にある仮想交点の位置を設計上の寸法に盛り込む必要がある。
【０００４】
しかしながら、仮想交点はノギスによる計測ができないため、部材の曲げ加工が設計通りの寸法でなされたかどうかを確認することができない。
【０００５】
このような課題を解決するものとして、特許文献１ないし３、非特許文献１に開示のノギス（デジタルノギスを含む）がある。
【０００６】
特許文献１ないし３、非特許文献１に開示されているノギスは、いずれもノギスの目盛の基準点と被測定物両片の延長線上にある仮想交点を一致させることにより、仮想交点から被測定物の一片までの寸法を計測可能としたものである。
【先行技術文献】
【特許文献】
【０００７】
【特許文献１】特許第３６１１８３１号
【特許文献２】特開２０００−５５６０２号
【特許文献３】実開平６−４６０２号
【非特許文献】
【０００８】
【非特許文献１】ケンメジャー仕様（http://www.kenmeasure.co.jp/）
【発明の概要】
【発明が解決しようとする課題】
【０００９】
本発明は上記の特許文献で開示されたものとは異なるアプローチにより、シンプルな方法で仮想交点から被測定物の一片までの寸法を計測可能なノギスを提供するものである。
【課題を解決するための手段】
【００１０】
（デジタルノギスの構成）
固定側ジョウまたは可動側ジョウに角度計を備えたデジタルノギスであって、
可動側ジョウの移動変化量を検出する移動変化量検出手段と、
角度計の回動量を検出する回動量検出手段と、
可動側ジョウの移動変化量と角度計の回動量とから被測定物両片の延長線上にある仮想交点を算出する仮想交点算出手段と、
を備えたデジタルノギス。
【００１１】
（プログラムの構成）
デジタルノギスにより測定される被測定物両片の延長線上にある仮想交点を算出するプログラムであって、
可動側ジョウの移動変化量を検出するステップと、
角度計の回動量を検出するステップと、
可動側ジョウの移動変化量と角度計の回動量とから被測定物両片の延長線上にある仮想交点を算出するステップと、
を備えた、コンピューター上で実行されるプログラム。
【発明の効果】
【００１２】
本発明によれば、可動側ジョウの移動変化量と角度計の回動量とから被測定物両片の延長線上にある仮想交点を算出することにより、仮想交点から被測定物の一片までの寸法をノギスにより計測可能となる。
【００１３】
とりわけ、本発明のノギスによれば、ノギスの目盛の基準点と被測定物両片の延長線上にある仮想交点を一致させられない部材であっても計測が可能である。
【図面の簡単な説明】
【００１４】
【図１】本発明の第１の実施形態である、可動側ジョウに角度計を備えたデジタルノギスを説明する図
【図２】本発明における仮想交点の算出プログラムを示したフローチャート
【図３】本発明における仮想交点の算出方法を説明する図
【図４】本発明の第２の実施形態である、固定側ジョウに角度計を備えたデジタルノギスを説明する図
【発明を実施するための形態】
【００１５】
（第１の実施形態）
本発明の第１の実施形態について図１を用いて説明する。なおノギス本体の構造については市場に流通しているノギスと同じであるため、本発明を説明する上で必要最小限の説明にとどめる。
【００１６】
ノギス１００は、本尺２００と、本尺２００に対しスライド自在に装着された副尺３００を備える。
【００１７】
本尺２００は、被測定物６００の一片と接する固定側ジョウ２０１を備える。
【００１８】
副尺３００は、被測定物６００の一片と接する可動側ジョウ３０１を備える。図示はしないが可動側ジョウ３０１は自らの移動変化量を検出する回路を備えている。
【００１９】
さらに可動側ジョウ３０１は角度計４００と表示部５００が装着される。
【００２０】
角度計４００は基部４０１と回転体４０２、そして図示はしないが回転体４０２の回動量を検出する回路を備えている。
【００２１】
表示部５００は可動側ジョウ３０１の移動変化量と回転体４０２の回動量を表示する。
【００２２】
そして、可動側ジョウの移動変化量と角度計の回動量とから被測定物６００両片の延長線上にある仮想交点６０１を算出するプログラムを記憶領域に格納している。図２にプログラムの進行を示す。
【００２３】
図３に示すように、可動側ジョウの移動変化量と角度計の回動量が求まると、三角関数により仮想交点６０１から被測定物６００の一片までの寸法を算出することができる。
【００２４】
（第２の実施形態）
本発明の第２の実施形態について図４を用いて説明する。
【００２５】
第２の実施形態では角度計４００が固定側ジョウ２０１に装着される点が第１の実施形態と異なり、他は共通する。
【００２６】
（その他）
以上説明した構成の他、上記構成を動作させるのに必要なプロセッサやストレージ、メモリ、入力モジュール等が各装置に含まれるのは言うまでもない。
【００２７】
また、本発明におけるハードウェアの各構成要素は機能概念的なものであり、必ずしも物理的に分離して構成されていることを要しない。
【００２８】
（結び）
以上説明した実施形態は、本発明の理解を容易にするために記載されたものであって、本発明の用途を限定するために記載されたものではない。
【００２９】
また、本発明におけるハードウェア装置の構成、各ハードウェア動作に関わるプログラム、データ形式、プログラム言語等は、特定のものに依存しておらず、上記説明した実施形態は一例にすぎない。
【００３０】
したがって、上記の実施形態に開示された各要素は、本発明の技術的範囲に属する全ての設計変更や均等物が含まれる。
【産業上の利用可能性】
【００３１】
本発明は仮想交点から被測定物の一片までの寸法を計測可能なノギスとしての産業上の利用可能性を有する。
【符号の説明】
【００３２】
１００  ノギス
２００  本尺
２０１  固定側ジョウ
３００  副尺
３０１  可動側ジョウ
４００  角度計
４０１  回転体
５００  表示部
【図１】
2018124172.tif 000003
【図２】
2018124172.tif 000004
【図３】
2018124172.tif 000005
【図４】
2018124172.tif 000006